(57)【要約】【課題】吊掛時に落下せず、環境への負荷が少ない吊掛ケースを提供する。【解決手段】ケース本体１の後部に吊掛用のフック１３を設けた吊掛ケースにおいて、ケース本体１の後板４上端から巻込部材８を延出して、巻込部材８の先端側にフック１３を形成し、巻込部材８を巻き込んで、後板４に固定すると共に、巻込部材８からフック１３を下方へ向けて突出させる。１枚の板紙を折り曲げて形成でき、フック１３にヒンジとなる折曲部分がなく、巻込部材８がケース本体１の後板４に固定されて、フック１３が揺動しないため、陳列時に、収納物の荷重が作用しても、陳列棚から落下するおそれがない。【選択図】図６
2008018170.tif 000002
【特許請求の範囲】
【請求項１】
ケース本体(1)の後部に吊掛用のフック(13)を設けた吊掛ケースにおいて、前記ケース本体(1)の後板(4)上端から巻込部材(8)を延出して、巻込部材(8)の先端側にフック(13)を形成し、巻込部材(8)を巻き込んで、後板(4)に固定すると共に、巻込部材(8)からフック(13)を下方へ向けて突出させたことを特徴とする吊掛ケース。
【発明の詳細な説明】
【技術分野】
【０００１】
この発明は、例えば、店頭でリーフレット等を収納して陳列棚に吊り掛けておく吊掛ケースに関するものである。
【背景技術】
【０００２】
従来、陳列用の吊掛ケースとして、下記特許文献１には、ケース本体の後部に逆Ｌ字状の吊掛用フックを貼り付けたものが記載されている。
【０００３】
この吊掛用ケースのフックは、折り曲げた板紙、成型したプラスチック又は塑性変形させた金属板から成るものであり、先端側の下向き部分が店頭に吊り下げられる基板のスリットに差し込まれ、これにより、吊掛ケースが基板に取り付けられる。
【０００４】
【特許文献１】特開２００１−２７８３３８号公報
【発明の開示】
【発明が解決しようとする課題】
【０００５】
しかしながら、上記のような吊掛ケースでは、フックをケース本体と同様に板紙で形成した場合、ケース本体に荷重が作用すると、フックの下向き部分が折曲部分をヒンジとして揺動し、スリットから抜け出して、吊掛ケースが基板から落下するおそれがある。
【０００６】
また、フックをプラスチック又は金属製とした場合、使用後の廃棄に伴い、環境に悪影響を与えるおそれもある。
【０００７】
そこで、この発明は、吊掛時に落下せず、環境への負荷が少ない吊掛ケースを提供することを課題とする。
【課題を解決するための手段】
【０００８】
上記課題を解決するため、この発明は、ケース本体の後部に吊掛用のフックを設けた吊掛ケースにおいて、前記ケース本体の後板上端から巻込部材を延出して、巻込部材の先端側にフックを形成し、巻込部材を巻き込んで、後板に固定すると共に、巻込部材からフックを下方へ向けて突出させたのである。
【発明の効果】
【０００９】
この吊掛ケースでは、１枚の板紙等のシート材を折り曲げて形成でき、扁平な折畳状態から簡単に組み立てることができる。そして、組立状態で、フックにヒンジとなる折曲部分がなく、巻込部材がケース本体の後板に固定されて、フックが揺動しないため、陳列時に、収納物の荷重が作用しても、陳列棚等から落下するおそれがない。また、使用後に廃棄する際、分別の手間がかからず、焼却しても環境に悪影響を及ぼすことがない。
【発明を実施するための最良の形態】
【００１０】
まず、この発明の第１実施形態を図１乃至図４に基づいて説明する。
【００１１】
この吊掛ケースは、リーフレットを収納するものであり、図１に示すような板紙製ブランクから形成される。このブランクでは、ケース本体１の構成部分として、前板２の両側に側板３が連設され、一方の側板３に後板４及び継代片５が順次連設されている。前板２及び後板４の下端には底板６が、側板３の下端には底板７がそれぞれ連設されている。前板２及び一方の側板３の上端は、リーフレットが見えやすいように切り欠かれている。
【００１２】
後板４の上端には、巻込部材８が連設され、巻込部材８には、頂板９、背板１０、下板１１及び添板１２が基端側から順次設けられると共に、背板１０から添板１２にかけて、コ字状の切込により、フック１３が形成されている。コ字状の切込の両端には、破止用の丸穴が設けられている。
【００１３】
このブランクから吊掛ケースを組み立てるには、図２及び図３に示すように、前板２、一対の側板３及び後板４を角筒状に折り曲げて、継代片５を反対側の側板３の内面に貼り付け、各一対の底板６，７を内側へ折り曲げて噛み合わせ、底面を閉止する。
【００１４】
そして、頂板９を後方へ、背板１０を下方へ、下板１１を前方へ、添板１２を上方へそれぞれ折り曲げることにより、巻込部材８を巻き込み、これにより、フック１３を下方へ突出させ、添板１２をケース本体１の後板４の外面に貼り付ける。
【００１５】
このように組み立てた吊掛ケースを使用する際には、フック１３と後板４との間に陳列棚の柵棒Ｂを挟み込み、下板１１を柵棒Ｂに載せるようにして、柵棒Ｂに吊り掛け、ケース本体１にリーフレットを収納する。
【００１６】
この使用状態において、上記吊掛ケースでは、フック１３にヒンジとなる折曲部分がなく、巻込部材８の添板１２がケース本体１の後板４に固定されて、フック１３が揺動しないため、陳列時に、収納物である多数部のリーフレットの荷重が作用しても、陳列棚から落下するおそれがない。
【００１７】
また、上記吊掛ケースは、１枚の板紙を折り曲げて形成することができるので、低コストで製造でき、図４に示すように、底板６，７の噛み合わせを解除すると、扁平に折り畳むことができるので、嵩張らない状態で、小売店へ輸送して保管しておくことができ、使用時には、その折畳状態から迅速に組み立てることができる。
【００１８】
さらに、使用後には、全体を可燃ごみとして廃棄することができるので、分別の手間がかからず、焼却しても環境に悪影響を及ぼすことがない。
【００１９】
次に、この発明の第２実施形態を図５乃至図８に基づいて説明する。なお、ここでは、上記第１実施形態の各部と対応する部分に同一の符号を付し、同様の作用・効果については、説明を省略する。
【００２０】
この吊掛ケースの板紙製ブランクでは、図５に示すように、巻込部材８において、フック１３の両側に、切込を介して一対の添板１２が延出され、添板１２から背板１０へ向けて、半円状の切込により抜止片１４が形成されている。また、ケース本体１の部分において、後板４の上部に、横向きのスリット１５が左右一対入れられ、その両端に破止用の丸穴が設けられている。
【００２１】
このブランクから吊掛ケースを組み立てる際には、図６及び図７に示すように、添板１２から抜止片１４までをスリット１５に差し込んで、添板１２を下方へ折り曲げる。これにより、抜止片１４の基端がスリット１５に引っ掛かって、添板１２がスリット１５から抜け止めされる。
【００２２】
このような吊掛ケースでは、製造に際し、巻込部材８の先端部を後板４に貼り付ける工程が不要となるので、コストをさらに低減できる。
【００２３】
また、図８に示すように、扁平に折り畳んだ状態において、巻込部材８の反発が弱いので、薄く折り畳んだ状態に保持でき、積み重ねて輸送・保管する際の効率が向上する。
【００２４】
なお、上記実施形態では、板紙製のものを例示したが、ブランクの材料には、プラスチックシートを使用することもできる。
【００２５】
また、ケース本体１の周壁が四角筒状のものを例示したが、ケース本体１は、前板２が湾曲したものや、コーナー部に面取状の斜面を有する形状のものであってもよい。
【００２６】
さらに、ケース本体１の底面は、周壁各面の下端から延びる底板６，７で閉止したものを例示したが、周壁とは別体の底蓋部材で閉止するようにしてもよい。
【００２７】
また、巻込部材８の幅方向中央部にフック１３を設けたが、巻込部材８の両側部にそれぞれフック１３を設け、その間に下板１１及び添板１２を設けてもよい。
【図面の簡単な説明】
【００２８】
【図１】この発明の第１実施形態に係る吊掛ケースのブランクを示す図
【図２】同上の使用状態を示す前方からの斜視図
【図３】同上の後方からの斜視図
【図４】同上の折畳状態を示す斜視図
【図５】この発明の第２実施形態に係る吊掛ケースのブランクを示す図
【図６】同上の使用状態を示す前方からの斜視図
【図７】同上の後方からの斜視図
【図８】同上の折畳状態を示す斜視図
【符号の説明】
【００２９】
１  ケース本体
２  前板
３  側板
４  後板
５  継代片
６，７  底板
８  巻込部材
９  頂板
１０  背板
１１  下板
１２  添板
１３  フック
１４  抜止片
１５  スリット
【図１】
2008018170.tif 000003
【図２】
2008018170.tif 000004
【図３】
2008018170.tif 000005
【図４】
2008018170.tif 000006
【図５】
2008018170.tif 000007
【図６】
2008018170.tif 000008
【図７】
2008018170.tif 000009
【図８】
2008018170.tif 000010